(57)【要約】【課題】携帯端末装置の利用者が、利用情報のジャンルを選択することなく広告コンテンツを閲覧することができ、かつ、携帯端末装置の利用状態に応じた広告効果の高い広告配信を行うことができる広告配信システムを提供する。【解決手段】広告配信サーバ１の広告管理部１２が、基地局コード管理部１５から基地局３ａ，３ｂの基地局コードを取得し、時刻管理部１４から広告コンテンツを配信する時刻を取得する。そして、広告管理部１２は基地局コード及び時刻に応じた広告枠を作成して広告コンテンツを割り当てる。これによって、携帯端末装置２ａ，２ｂは、自己の利用状態(例えば、待ち受け中、音声発信中、音声着信中)に応じて、音声再生、動画像再生、テキストデータ表示のいずれかの広告配信方法を選択し、所望の広告コンテンツを取得して利用者に広告閲覧させる。【選択図】図１
2007102479.tif 000002
【特許請求の範囲】
【請求項１】
携帯端末装置、基地局、及び広告コンテンツの配信を実行する広告配信サーバを用いて電話広告を行う広告配信システムであって、
前記携帯端末装置が自己の利用状態に応じた広告提供方法を選択して前記広告コンテンツを取得する
ことを特徴とする広告配信システム。
【請求項２】
前記広告配信サーバは、前記広告コンテンツを配信する時刻、前記基地局の地理的条件に関連付けられた基地局コード、及び前記携帯端末装置の利用状態に応じて広告枠を作成し、その広告枠ごとに広告提供の割り当てを行う広告管理手段を備える
ことを特徴とする請求項１に記載の広告配信システム。
【請求項３】
前記携帯端末装置は、前記基地局コードの変化を検知したときは、変化した基地局コードに応じた広告コンテンツを取得する
ことを特徴とする請求項２に記載の広告配信システム。
【請求項４】
前記基地局は、前記広告コンテンツを配信する時刻の変化を検知したときは、変化した時刻に応じた広告コンテンツを前記携帯端末装置へ配信する
ことを特徴とする請求項２又は請求項３に記載の広告配信システム。
【請求項５】
前記広告配信サーバは、前記携帯端末装置の待ち受け中に前記基地局より取得した広告コンテンツを格納し、その携帯端末装置の利用状態に応じて対応する広告コンテンツを再生させる広告コンテンツ格納手段を備える
ことを特徴とする請求項２乃至請求項４のいずれかに記載の広告配信システム。
【請求項６】
前記利用状態は、前記携帯端末装置の待ち受け中、ＴＶ電話発着信中、特定モード発着信中、及び音声発着信中のいずれかの状態であり、
前記広告提供方法は、音声再生、動画像再生、及びテキストデータ表示のいずれかの方法である
ことを特徴とする請求項１乃至請求項５のいずれかに記載の広告配信システム。
【請求項７】
広告コンテンツの電話配信を行う広告配信システムに用いられる携帯端末装置であって、
自己の利用状態に応じた広告提供方法を選択して広告コンテンツを取得することを特徴とする携帯端末装置。
【請求項８】
前記利用状態は、待ち受け中、ＴＶ電話発着信中、特定モード発着信中、及び音声発着信中のいずれかの状態であり、
前記広告提供方法は、音声再生、動画像再生、及びテキストデータ表示のいずれかの方法である
ことを特徴とする請求項７に記載の携帯端末装置。
【請求項９】
基地局の地理的条件に関連付けられた基地局コードの変化を検知したときに、変化した基地局コードに応じた広告コンテンツを取得することを特徴とする請求項７又は請求項８に記載の携帯端末装置。
【請求項１０】
広告コンテンツの電話配信を行う広告配信システムに用いられる広告配信サーバであって、
広告コンテンツを配信する時刻、基地局の地理的条件に関連付けられた基地局コード、及び前記携帯端末装置の利用状態に応じて広告枠を作成し、前記広告枠ごとに広告提供の割り当てを行う広告管理手段を備えることを特徴とする広告配信サーバ。
【請求項１１】
前記携帯端末装置の待ち受け中に前記基地局より取得した広告コンテンツを格納し、その携帯端末装置の利用状態に応じて対応する広告コンテンツを再生させる広告コンテンツ格納手段を備えることを特徴とする請求項１０に記載の広告配信サーバ。
【請求項１２】
前記利用状態は、待ち受け中、ＴＶ電話発着信中、特定モード発着信中、及び音声発着信中のいずれかの状態であることを特徴とする請求項１０又は請求項１１に記載の広告配信サーバ。
【請求項１３】
広告コンテンツの電話配信を行う広告配信システムに用いられる基地局であって、
前記広告コンテンツを配信する時刻の変化を検知したときは、変化した時刻に応じた広告コンテンツを携帯端末装置に配信することを特徴とする基地局。
【発明の詳細な説明】
【技術分野】
【０００１】
本発明は、電話機を媒体として広告コンテンツの配信を行う広告配信システム等に関し、特に、携帯電話機などの携帯端末装置を媒体とした広告配信において広告の割り当て及び広告コンテンツの切り替えを行う広告配信システム、及びこの広告配信システムを構成する広告配信サーバ、基地局、携帯端末装置に関する。
【背景技術】
【０００２】
従来より、電話機を媒体として広告コンテンツを配信する広告コンテンツ配信技術が種々知られている。例えば、発呼―被呼双方の電話機の通話状態が確立するまでに、電話局が配信した広告コンテンツを双方の電話機のメモリに記録しておき、双方の電話機が通話状態にないときにその広告コンテンツをそれぞれの電話機に表示又は音声報知させる技術が開示されている。この技術によれば、通話状態にない時間帯を広告配信として有効に利用することができる（例えば、特許文献１参照）。また、電話広告を聞いた特定の加入者に対して通話料金を割り引くなど、電話広告による広告料収入と通話料金の還元とを両立させた技術も知られている（例えば、特許文献２参照）。さらには、携帯電話の待ち受け時間に携帯電話基地局単位で地域限定の配信情報を提供することにより、利用者は希望する最新情報を無料又は安価に参照することができる技術も開示されている（例えば、特許文献３参照）。
【０００３】
これらの特許文献による広告配信システムの技術は広告配信のタイミングを限定している。例えば、特許文献１や特許文献２の技術は、通話可能状態にない通信確立中に電話広告を行っているために配信時間が制限されるので、広告配信の情報量は限定されている。また、特許文献３の技術は、広告配信は待ち受け中のみに限定していると共に、電話広告料の課金システムに関しては、顧客への広告提供時間や顧客の広告利用回数をカウントして、広告依頼者への課金もしくは利用者（顧客）への料金還元を行っている。さらに、広告コンテンツの割り当てに関しては、携帯端末の利用者自身が入手したい情報ジャンルを選択して所望の広告コンテンツの割り当てを行っている。
【特許文献１】特開２００２―１５２３８２号公報
【特許文献２】特開２００２―３３０２４０号公報
【特許文献３】特開２００２―７４１８７号公報
【発明の開示】
【発明が解決しようとする課題】
【０００４】
しかしながら、上記の各特許文献を含めた従来の広告配信システムは、広告コンテンツの配信タイミングが限定されてしまい、待ち受け中や音声発信中や音声着信中などに広告配信タイミングを拡大させることができない。そのため、時間的に効率の良い広告提供方法を選択しなければならないので、広告を提供するときの時間が制限されて選択手順が複雑になるなどの不具合がある。つまり、第１の課題として、従来の広告配信システムでは広告提供方法の選択手順において使い勝手がよくないという問題がある。
【０００５】
また、上記の特許文献３のような従来技術では、携帯端末装置の利用者自身が提供を受ける広告コンテンツの情報ジャンルを選択しなければならない。言い換えれば、携帯端末装置の利用者が情報ジャンルを選択する操作を行ってから初めて広告コンテンツがその携帯端末装置へ提供される状態となるため、利用者の操作次第によっては広告効果を低減させる原因ともなる。つまり、第２の課題として、従来の広告配信システムでは広告コンテンツの選択方法に自由度がないという問題がある。
【０００６】
また、上記の特許文献１や特許文献３のような技術では、携帯端末の利用者が広告提供を受けた時間や回数を記録して広告提供者への課金に対応していた。ところが、携帯端末の利用者が多数になると、このような携帯端末装置の利用者主体の課金方法では課金処理が煩雑となるため、より簡易な課金方法が必要とされている。つまり、第３の課題として、従来の広告配信システムでは広告提供者への広告料の課金処理が複雑となるなどの不具合がある。
【０００７】
本発明はかかる点に鑑みてなされたものであり、簡単な構成によって広告提供方法の選択手順や選択方法を単純化すると共に、広告提供者への広告料の課金処理を簡易に行うことができる広告配信システム、及びこの広告配信システムを構成する広告配信サーバ、基地局、携帯端末装置を提供することを目的とする。
【課題を解決するための手段】
【０００８】
本発明の広告配信システムは、携帯端末装置、基地局、及び広告コンテンツの配信を実行する広告配信サーバを用いて電話広告を行う広告配信システムであって、携帯端末装置が自己の利用状態に応じた広告提供方法を選択して広告コンテンツを取得するような構成を採っている。
【０００９】
また、本発明の広告配信システムは、前記発明の構成に加えて、広告配信サーバは、広告コンテンツを配信する時刻、基地局の地理的条件に関連付けられた基地局コード、及び携帯端末装置の利用状態に応じて広告枠を作成し、その広告枠ごとに広告提供の割り当てを行う広告管理手段を備える構成を採っている。
【００１０】
また、本発明の広告配信システムは、前記発明の構成に加えて、携帯端末装置は、基地局コードの変化を検知したときは変化した基地局コードに応じた広告コンテンツを取得する構成を採っている。
【００１１】
また、本発明の広告配信システムは、前記発明の構成に加えて、基地局は、広告コンテンツを配信する時刻の変化を検知したときは変化した時刻に応じた広告コンテンツを携帯端末装置へ配信する構成を採っている。
【００１２】
また、本発明の広告配信システムは、前記発明の構成に加えて、広告配信サーバは、携帯端末装置の待ち受け中に基地局より取得した広告コンテンツを格納し、その携帯端末装置の利用状態に応じて対応する広告コンテンツを再生させる広告コンテンツ格納手段を備える構成を採っている。
【００１３】
また、本発明の広告配信システムは、前記各発明の構成において、携帯端末装置の利用状態は、携帯端末装置の待ち受け中、ＴＶ電話発着信中、特定モード発着信中、及び音声発着信中のいずれかの状態であり、広告提供方法は、音声再生、動画像再生、及びテキストデータ表示のいずれかの方法である構成を採っている。
【００１４】
また、本発明の携帯端末装置は、広告コンテンツの電話配信を行う広告配信システムに用いられる携帯端末装置であって、自己の利用状態に応じた広告提供方法を選択して広告コンテンツを取得する構成を採っている。
【００１５】
また、本発明の携帯端末装置は、前記発明の構成において、利用状態は、待ち受け中、ＴＶ電話発着信中、特定モード発着信中、及び音声発着信中のいずれかの状態であり、広告提供方法は、音声再生、動画像再生、及びテキストデータ表示のいずれかの方法である構成を採っている。
【００１６】
また、本発明の携帯端末装置は、前記発明の構成に加えて、基地局の地理的条件に関連付けられた基地局コードの変化を検知したときに、変化した基地局コードに応じた広告コンテンツを取得する構成を採っている。
【００１７】
また、本発明の広告配信サーバは、広告コンテンツの電話配信を行う広告配信システムに用いられる広告配信サーバであって、広告コンテンツを配信する時刻、基地局の地理的条件に関連付けられた基地局コード、及び携帯端末装置の利用状態に応じて広告枠を作成し、その広告枠ごとに広告提供の割り当てを行う広告管理手段を備える構成を採っている。
【００１８】
また、本発明の広告配信サーバは、前記発明の構成に加えて、携帯端末装置の待ち受け中に基地局より取得した広告コンテンツを格納し、その携帯端末装置の利用状態に応じて対応する広告コンテンツを再生させる広告コンテンツ格納手段を備える構成を採っている。
【００１９】
また、本発明の広告配信サーバは、前記発明の構成において、利用状態は、待ち受け中、ＴＶ電話発着信中、特定モード発着信中、及び音声発着信中のいずれかの状態である構成を採っている。
【００２０】
また、本発明の基地局は、広告コンテンツの電話配信を行う広告配信システムに用いられる基地局であって、広告コンテンツを配信する時刻の変化を検知したときは、変化した時刻に応じた広告コンテンツを携帯端末装置に配信する構成を採っている。
【発明の効果】
【００２１】
本発明の広告配信システムによれば、携帯端末装置の利用状態(つまり、待ち受け中、音声発信中、音声着信中など)に応じて、音声再生、動画像再生、テキストデータ表示のいずれかの広告配信方法を選択して実行することにより、利用者は所望の広告を最適な状態で閲覧することができる。つまり、音声発信中や音声着信中には、利用者が携帯端末を耳にあてて利用するために、音声再生による広告配信方法を選択させる。また、待ち受け中においては、利用者は携帯端末の表示部を見ることが多いために、動画像再生やテキストデータ表示などの広告配信方法を選択させる。このような広告提供方法の選択手順によって、携帯端末装置における広告取得の使い勝手が一段と向上する。
【００２２】
また、本発明の広告配信システムは、基地局の地理的条件に関連付けられた基地局コードや広告配信の時刻に基づいて作成された広告枠に従って広告コンテンツを配信している。これによって、広告依頼者は、基地局の地理的条件などに関連付けられた基地局コードや配信時刻を参照して広告枠を購入し、所望の広告コンテンツを配信する権利を取得する。このような仕組みによって、携帯端末装置の利用者は、提供を受ける広告の情報ジャンルを選択することなく広告の提供を受けることができる。さらに、携帯端末装置の利用者ごとの広告利用の履歴データを保持カウントすることなく、広告依頼者への適正な課金を行うことが可能となる。これによって、広告コンテンツの選択方法の制約や広告提供者への広告料の課金処理の煩雑さが解消される。
【発明を実施するための最良の形態】
【００２３】
〈発明の概要〉
本発明の広告配信システムは、携帯端末装置における待ち受け中や音声発信中・着信中など利用状態に応じて、音声再生、動画像再生、テキストデータ表示のいずれかの広告配信方法を選択して広告コンテンツを提供できるように構成されている。これによって、携帯端末装置の利用状態に最適な方法で広告コンテンツを提供することができるので広告効果が一段と向上する。また、基地局の地理的条件などに関連付けられた基地局コードや広告配信の時刻に基づいて作成された広告枠に従って広告コンテンツを配信するように構成されている。このような仕組みによって、携帯端末装置の利用者は、提供を受ける広告コンテンツの情報ジャンルを選択することなく広告の提供を受けることができる。
【００２４】
〈発明の実施の形態〉
以下、図面を用いて、本発明における電話によって広告配信を行う広告配信システムの実施の形態について説明する。図１は、本発明の一実施の形態における広告配信システムの構成を示すブロック図である。まず、図１に基づいて本発明における広告配信システムの全体構成について説明する。本発明の広告配信システムは、広告依頼者４からの広告依頼に基づいて電話よる広告配信を実行する広告配信サーバ１と、電話による広告情報を受信する複数の携帯端末装置２ａ，２ｂと、複数の携帯端末装置２ａ，２ｂのそれぞれのサービスエリアを管轄する複数の基地局３ａ，３ｂとを備えた構成となっている。
【００２５】
また、広告配信サーバ１は、広告コンテンツを格納する広告コンテンツ格納部１１と、基地局コード及び広告配信の時刻に基づいて作成された広告枠を管理する広告管理部１２と、基地局コード及び時刻に応じた広告コンテンツを広告コンテンツ格納部１１より取得して該当する基地局３ａ，３ｂへ配信する広告配信部１３と、広告を配信する時刻を管理する時刻管理部１４と、基地局３ａ，３ｂの地理的条件などに関連付けられた基地局コードを管理する基地局コード管理部１５とを備えた構成となっている。
【００２６】
次に、図１に示す広告配信システムの全体動作について概略的に説明する。広告配信サーバ１の広告管理部１２が、基地局コード管理部１５から基地局３ａ，３ｂの基地局コードを取得し、時刻管理部１４から広告コンテンツを配信する時刻を取得する。そして、広告管理部１２は基地局コード及び時刻に応じた広告枠を作成して広告コンテンツを割り当てる。これによって、携帯端末装置２ａ，２ｂは、自己の利用状態(例えば、待ち受け中、音声発信中、音声着信中)に応じて、音声再生、動画像再生、テキストデータ表示のいずれかの広告配信方法を選択し、所望の広告コンテンツを取得して利用者に広告閲覧させる。したがって、携帯端末装置２ａ，２ｂの利用者は、利用情報のジャンルを選択することなく広告コンテンツを閲覧することができ、かつ、携帯端末装置２ａ，２ｂの利用状態に応じた広告効果の高い広告配信を行うことができる。
【００２７】
次に、図１に示す広告配信システムの動作についてさらに詳細に説明する。図２は、図１に示す広告配信システムにおける広告コンテンツの割り当てを示す図である。図２に示すように、通信事業者ごとに、基地局コード及び広告を配信する時刻に基づいて広告枠が決められている。例えば、通信事業社（ａ社）の場合、地域１の基地局コードで広告配信の時刻が９：００〜１０：００のときは、電話機の状態Ａでは『枠１・Ａ（￥１００００）』、電話機の状態Ｂでは『枠１・Ｂ（￥３０００）』というように広告枠が決められている。なお、電話機の状態とは、待ち受け中、ＴＶ電話発着信中、ｉ-mode（登録商標）発信中などのような特定モード発信中、音声着信中、音声発信中などといった利用状態である。
【００２８】
すなわち、広告管理部１２は、図２に示すような基地局コード及び時刻に基づいて作成された広告枠を常時管理している。したがって、広告依頼者４は、基地局３ａ、３ｂの地理的条件などによって設定された基地局コードや広告配信の時刻に基づいて図２に示す広告コンテンツの割当表から該当する広告枠を購入し、所望の広告コンテンツを配信する権利を取得することができる。また、広告配信部１３は、図２に示す広告コンテンツの割当表を参照して広告配信の時刻になったら広告管理部１２へ問い合わせを行い、基地局コード及び時刻に応じた広告コンテンツを広告コンテンツ格納部１３より取得して該当する基地局３ａ、３ｂへ配信する。
【００２９】
すると、基地局３ａ，３ｂは、自局エリアに存在する携帯端末装置２ａ，２ｂに対して広告配信サーバ１の広告配信部１３より配信された広告コンテンツを配信する。このとき、携帯端末装置２ａ，２ｂは、自己の利用状態（例えば、待ち受け中、ＴＶ電話発着信中、ｉ-mode（登録商標）発信中、音声着信中、音声発信中など）に応じて、音声再生、動画像再生、及びテキストデータ表示のいずれかの広告配信方法を選択して実行する。このような広告配信方法の選択を行うことによって、利用者は所望の形態で広告閲覧を行うことができる。
【００３０】
次に、携帯端末装置２ａ，２ｂの動作について説明する。図３は、図１の広告配信システムにおいて用いられる携帯端末装置の広告配信方法選択及び広告コンテンツ選択の手順を示すフローチャートである。また、図４は、図１の広告配信システムにおいて用いられる携帯端末装置の利用状態と広告再生方法の対応関係を示す図である。図４に示すように、広告再生方法は、音声再生、動画像再生、及びテキストデータ表示の３種類があるが、音声再生は携帯端末装置２ａ，２ｂの利用状態が音声発信中のときに選択され、テキストデータ表示は携帯端末装置２ａ，２ｂの利用状態が音声発信中、ＴＶ電話着信中、及び待ち受け中のときに選択され、動画像再生は携帯端末装置２ａ，２ｂの利用状態がＴＶ電話着信中のときに選択される。
【００３１】
図３のフローチャートにおいて、最初に携帯端末装置は自己の利用状態を検知する（ステップＳ１）。次に、携帯端末装置はステップＳ１にて検知された利用状態に応じた広告配信方法を選択し、さらに広告コンテンツを選択する（ステップＳ２）。ここで、図４における携帯端末装置の利用状態と広告再生方法の対応関係に示すように、携帯端末装置の利用状態と広告配信方法及び広告コンテンツの関係は、あらかじめ対応付けがなされている。
【００３２】
したがって、ステップＳ２にて選択された広告配信方法を用いて、待ち受け中に携帯端末装置内部のメモリに格納しておいた広告コンテンツをユーザに通知する（ステップＳ３）。この実施の形態では、図４に示すように、携帯端末装置のスピーカより音声を再生して広告を行う広告再生方法、携帯端末装置の表示部にテキストデータを出力して広告表示を行う広告再生方法、及び携帯端末装置の表示部に映像を出力すると共にスピーカより音声を出力して動画広告を行う広告再生方法の３つを広告再生方法としている。
【００３３】
次に、基地局３ａ，３ｂと同期した広告コンテンツの切り替え方法について説明する。図５は、図１の広告配信システムにおいて、基地局コードの変化によって広告コンテンツの切り替えを行う手順を示すフローチャートである。また、図６は、図１の広告配信システムにおいて、時刻の変化によって広告コンテンツの切り替えを行う手順を示すフローチャートである。すなわち、広告コンテンツは、図５に示すように基地局コードの変化によって切り替えが行われると共に、図６に示すように時刻の変化によって切り替えが行われる。
【００３４】
まず、図５において、携帯端末装置が移動して基地局コードの変化を検知した場合には（ステップＳ１１）、携帯端末装置は、変化した基地局コードに対応する基地局に対して広告コンテンツの取得要求を送信し、新たな基地局コードに対応した広告コンテンツのダウンロードを行う（ステップＳ１２）。さらに、ダウンロードされた広告コンテンツは携帯端末装置内のメモリに格納され（ステップＳ１３）、前述の図４に示す携帯端末装置の利用状態に応じた広告再生方法によって所望の広告を閲覧することができる。
【００３５】
次に、図６において、基地局が広告を配信する時刻の変化を検知した場合には（ステップＳ２１）、基地局から携帯端末装置に対して新しい広告コンテンツを送信する（ステップＳ２２）。すると、携帯端末装置は受信した広告コンテンツをメモリに格納する（ステップＳ２３）。これによって、前述の図４に示す携帯端末装置の状態に応じた広告再生方法によって所望の広告を閲覧することができる。
【産業上の利用可能性】
【００３６】
本発明によれば、携帯端末装置の利用者が利用情報のジャンルを選択することなく広告コンテンツを閲覧可能とすることができ、かつ、携帯端末装置の利用状態に応じた広告効果の高い広告配信を行うことができるので、地域ごとのユニークな広告情報を配信することができる広告配信システムなどに有効に利用することができる。
【図面の簡単な説明】
【００３７】
【図１】本発明の一実施の形態における広告配信システムの構成を示すブロック図
【図２】図１に示す広告配信システムにおける広告コンテンツの割り当てを示す図
【図３】図１の広告配信システムにおいて用いられる携帯端末装置の広告配信方法選択及び広告コンテンツ選択の手順を示すフローチャート
【図４】図１の広告配信システムにおいて用いられる携帯端末装置の利用状態と広告再生方法の対応関係を示す図
【図５】図１の広告配信システムにおいて、基地局コードの変化によって広告コンテンツの切り替えを行う手順を示すフローチャート
【図６】図１の広告配信システムにおいて、時刻の変化によって広告コンテンツの切り替えを行う手順を示すフローチャート
【符号の説明】
【００３８】
１  広告配信サーバ
２ａ，２ｂ  携帯端末装置
３ａ，３ｂ  基地局
４  広告依頼者
１１  広告コンテンツ格納部
１２  広告管理部
１３  広告配信部
１４  時刻管理部
１５  基地局コード管理部
【図１】
2007102479.tif 000003
【図２】
2007102479.tif 000004
【図３】
2007102479.tif 000005
【図４】
2007102479.tif 000006
【図５】
2007102479.tif 000007
【図６】
2007102479.tif 000008